(57)【要約】【課題】  異常発生時の状態を示す情報や接続されている機器の状態を示す情報などを簡易な構成で任意に表示する。【解決手段】  制御手段は、開・停・閉ボタンを備えた押しボタン手段、開閉動作中の障害物を検知する障害物感知手段、開閉体手段の上限・下限を検出するリミットスイッチ手段、モータ等に設けられたプロテクタ手段などからの信号に応じて開閉体手段の開閉動作を制御する。表示手段は、これらの各機器から出力される信号の状態を表示する。表示手段として、例えば、７セグメント構成の表示器を用いた場合、各セグメントの表示態様を制御動作指示手段から出力される各信号に対応付けることで、同じ表示部を用いて各信号の入力状態を表示することができる。また、表示手段は、異常発生時の異常の種類や開閉動作回数なども併せて表示する。【選択図】      図２
2005127107.tif 000002
【特許請求の範囲】
【請求項１】
開口部に設けられた開閉体手段と、
前記開閉体手段の開閉動作を制御する制御手段と、
前記制御手段に接続され、前記開閉動作の制御に関する信号を出力する制御動作指示手段と、
前記制御手段に対する前記信号の入力状態を同じ表示部を用いて表示する表示手段と
を備えたことを特徴とする開閉体制御装置。
【請求項２】
開口部に設けられた開閉体手段と、
前記開閉体手段の開閉動作を制御する制御手段と、
前記制御手段に接続され、前記開閉動作の制御に関する複数の信号を出力する制御動作指示手段と、
異常発生時の異常の種類とその時の開閉動作回数を同じ表示部を用いて異なるタイミングで表示する表示手段と
を備えたことを特徴とする開閉体制御装置。
【請求項３】
請求項２において、
前記表示手段は、表示切換スイッチ手段によって前記表示のタイミングを制御されるように構成されていることを特徴とする開閉体制御装置。
【請求項４】
開口部に設けられた開閉体手段と、
前記開閉体手段の開閉動作を制御する制御手段と、
前記制御手段に接続され、前記開閉動作の制御に関する複数の信号を出力する制御動作指示手段と、
前記制御手段に対する前記信号の入力状態を表示するモードと異常発生時の異常の種類とその時の開閉動作回数を表示するモードとを同じ表示部を用いてモードを切り換えながら表示すると共に同じ表示部にそれぞれ異なるタイミングで前記異常の種類とその時の開閉動作回数を表示する表示手段と
を備えたことを特徴とする開閉体制御装置。
【請求項５】
請求項４において、
前記表示手段は、モード切換スイッチ手段によって前記表示モードを切り換えて表示し、表示切換スイッチ手段によって異なるタイミングで表示するように構成されていることを特徴とする開閉体制御装置。
【発明の詳細な説明】
【技術分野】
【０００１】
本発明は、ビル、工場、倉庫などの建物を含む構造物躯体の開口部に設置されるシャッターカーテンなどの開閉部材を電動で開閉する開閉体装置の動作状態を監視することのできる開閉体制御装置に関する。
【背景技術】
【０００２】
ビル、工場、倉庫などの建物を含む構造物躯体の開口部に設置されシャッター、ドアなどの開閉体装置には、その開閉動作を電動で行う電動シャッター、電動ドアなどが使用されることが多い。このように電動で開閉動作を行うものは、開閉機を備えており、有線式や無線式の操作スイッチ（ＰＢＳ）によって開閉機の動作が制御されるようになっている。このような開閉機は、過熱保護用のプロテクタが作動することによって停止したときなどは、開閉機自体の温度が低下することによって自動的に正常な状態に復帰するような自己復帰機能を備えている。このようなプロテクタが作動している間などを故障と誤認しないようにするために、シャーターカーテンの開閉動作を含む状態データを検出記憶しておき、それを履歴情報として文字表示部などに表示するようにしたものが特許文献１に記載されている。
【特許文献１】特開平１１−１６０１４号公報
【発明の開示】
【発明が解決しようとする課題】
【０００３】
特許文献１に記載されたものは、電動シャッター装置の異常箇所を表示したり上限下限スイッチのオン・オフ状態を表示したり、操作状態を表示したりするための発光ダイオード等による点灯表示部（ランプ表示部）を備えたり、作業者等へのメッセージを表示する液晶パネルで構成される文字表示部などを備えている。この点灯表示部の中には、通常の動作時には表示するまでもないものや異常発生時にだけ表示すればよいものなどもある。このように特許文献１に記載されたものは、これらを常時表示可能な構成としているために、装置が全体的に大がかりなものとなる可能性がある。
【０００４】
本発明は、上述の点に鑑みてなされたものであり、異常発生時の状態を示す情報や接続されている機器の状態を示す情報などを簡易な構成で任意に表示することのできる開閉体制御装置を提供することにある。
【課題を解決するための手段】
【０００５】
請求項１に係る開閉体制御装置は、開口部に設けられた開閉体手段と、前記開閉体手段の開閉動作を制御する制御手段と、前記制御手段に接続され、前記開閉動作の制御に関する信号を出力する制御動作指示手段と、前記制御手段に対する前記信号の入力状態を同じ表示部を用いて表示する表示手段とを備えたものである。開閉体手段の開閉動作には、開動作、閉動作及び両方の動作を行う開閉動作が含まれる。制御動作指示手段は、開・停・閉ボタンを備えた押しボタン手段であったり、開閉体手段の開閉動作中に接触するような障害物を検知する障害物感知手段、開閉体手段の上限・下限を知らせるリミットスイッチ手段、モータ等の開閉機に設けられたプロテクタ手段などである。制御手段は、このような制御動作指示手段からの信号に応じて開閉体手段の開閉動作、例えば、開動作、閉動作、停止動作などを制御している。表示手段は、このような制御動作指示手段から出力される信号の状態を表示するものであり、例えば、７セグメント構成の表示器の場合、各セグメントの表示態様を制御動作指示手段から出力される各信号に対応付けることで、同じ表示部を用いて各信号の入力状態を表示ことができる。この表示手段を用いて異常発生時の状態も併せて表示することができる。
【０００６】
請求項２に係る開閉体制御装置は、開口部に設けられた開閉体手段と、前記開閉体手段の開閉動作を制御する制御手段と、前記制御手段に接続され、前記開閉動作の制御に関する複数の信号を出力する制御動作指示手段と、異常発生時の異常の種類とその時の開閉動作回数を同じ表示部を用いて異なるタイミングで表示する表示手段とを備えたものである。これは、異常発生時の異常の種類とその時の開閉体手段の開閉動作回数を同じ表示部に表示するものであり、例えば、７セグメント構成の表示器を用いて、これに異常の種類とその時の開閉動作回数を経時的にそれぞれ異なるタイミングで表示するようにしたものである。これによって、同じ表示部を用いて異常の種類とその時の開閉動作回数を表示することができる。
【０００７】
請求項３に係る開閉体制御装置は、請求項２において、前記表示手段は、表示切換スイッチ手段によって前記表示のタイミングを制御されるように構成されているものである。これは、同じ表示部を用いて異常の種類と開閉動作回数をタイミングを制御して表示する場合のタイミング制御を表示切換スイッチ手段を用いて行うようにしたものである。
【０００８】
請求項４に係る開閉体制御装置は、開口部に設けられた開閉体手段と、前記開閉体手段の開閉動作を制御する制御手段と、前記制御手段に接続され、前記開閉動作の制御に関する複数の信号を出力する制御動作指示手段と、前記制御手段に対する前記信号の入力状態を表示するモードと異常発生時の異常の種類とその時の開閉動作回数を表示するモードとを同じ表示部を用いてモードを切り換えながら表示すると共に同じ表示部にそれぞれ異なるタイミングで前記異常の種類とその時の開閉動作回数を表示する表示手段とを備えたものである。これは、制御動作指示手段から出力される信号の状態を表示するモードと異常の種類と開閉動作回数を表示するモードとを、例えば、７セグメント構成の同じ表示器を用いて切り換えて表示するようにしたものであり、異常の種類と開閉動作回数を表示する場合には同じ表示部に異なるタイミングで表示するようにしたものである。これによって、同じ表示部を用いて制御動作指示手段から出力される信号の状態並びに異常の種類やその時の開閉動作回数を表示することができる
【０００９】
請求項５に係る開閉体制御装置は、請求項４において、前記表示手段は、モード切換スイッチ手段によって前記表示モードを切り換えて表示し、表示切換スイッチ手段によって異なるタイミングで表示するように構成されているものである。これは、表示モードをモード切換スイッチ手段で、タイミングを表示切換スイッチ手段でそれぞれ制御するようにしたものである。
【発明の効果】
【００１０】
本発明の開閉体制御装置によれば、異常発生時の状態を示す情報や接続されている機器の状態を示す情報などを簡易な構成で任意に表示することができる。
【発明を実施するための最良の形態】
【００１１】
以下添付図面に従って本発明に係る開閉体制御装置の好ましい実施の形態について説明する。この実施の形態では開閉体制御装置として上下に開閉制御されるシャッター装置を例に説明する。図１は、本発明の開閉体制御装置を備えたシャッター装置の概略構成を示す図である。
【００１２】
このシャッター装置は、建物の開口部に設けられるものであり、基本的にシャッターケース１、シャッターカーテン２、ガイドレール３，４、巻取シャフト５、チェーン６、モータ７、制御装置８、操作スイッチ９及び障害物感知器１１から構成される。このシャッター装置は、通常時には、操作スイッチ９の操作に応じて、開閉機であるモータ７を駆動して開閉制御するようになっている。さらに、このシャッター装置では、シャッターカーテン２が巻取シャフト５に巻き取られている開放状態を機械的な保持機構（図示せず）によって保持しており、この開放状態で外部から火災の発生などを示す非常信号ＢＳなどが制御装置８に入力された場合には、その保持機構による開放状態の保持が解除されて、シャッターカーテン２は、その自重で自然降下して開口部を自動閉鎖する機能も備えている。
【００１３】
ガイドレール３，４は、シャッターカーテン２の両端部に接するように建物の開口部の両端側に設けられ、まぐさ部から床面まで掛け渡された断面形状がコの字型の案内溝を有する金属製部材で構成されている。シャッターカーテン２は、このガイドレール３，４の各案内溝に沿って上昇下降し、開口部の開閉動作を行う。巻取りシャフト５は、シャッターケース１の両端側に回動可能に設けられ、シャッターカーテン２を巻き取ったり巻き戻したりする。チェーン６は、モータ７の回転軸に設けられた主動スプロケットと巻取りシャフト５の回転軸に設けられた従動スプロケットとを連結している。従って、モータ７の回転駆動力はチェーン６を介して巻取りシャフト５側に伝達され、モータ７が回転すると、チェーン６を介して巻取りシャフト５が回転し、シャッターカーテン２の開閉動作が制御されるようになっている。
【００１４】
制御装置８は、マイクロコンピュータ構成になっており、電源ラインＡＣを介して電力が供給されている。制御装置８は、操作スイッチ９上の各操作ボタンの操作状態に対応した制御信号やモータ７に設けられたプロテクタからの信号などに基づいてモータ７の回転を制御したり、非常信号ＢＳに基づいて保持機構を解除したりする。
【００１５】
操作スイッチ９は、開閉停の各動作に対応した制御スイッチとして、上昇（開）ボタン９Ａ、停止（停）ボタン９Ｂ、下降（閉）ボタン９Ｃを有し、それぞれのボタンの操作状態に応じた制御信号を制御装置８に出力する。なお、図１では示していないが、制御装置８は無線型リモコン装置によっても操作可能となっている。
【００１６】
非常信号ＢＳは、火災発生などの非常時に外部の制御室などから供給される電圧２４［Ｖ］の信号である。なお、外部からの非常信号ＢＳの入力と併せて、又は代わりにシャッターケース１の内側であって、まぐさ部の開口部近傍すなわちシャッターカーテン２が昇降する部分に温度感知器などを設けてもよい。この温度感知器としては、常時接点がオン状態にあり、接点が所定温度（摂氏１００〜３００度の範囲の任意温度）に達した時点で接点を開きオフ状態となるＢ接点の自動復帰型の高温度用バイメタル式サーモスタットなどで構成され、接点が開いた場合には火災などが発生したとして非常信号ＢＳを出力するようにすればよい。また、このような温度感知器を設ける場合には、開閉体内部に非常信号ＢＳに相当する信号を出力するために電源ラインＡＣとは別途の例えばバッテリによる電源を設ければよい。
【００１７】
障害物感知器１１は送信機がシャッターカーテン２の下端部（座板）に設けられたもので、障害物感知時に座板スイッチの移動で感知信号を制御装置８に送信し、また、その後の障害物の除去により座板スイッチの復帰移動時には復帰信号を送信する構成となっている。障害物感知器１１の送信機から制御装置８への信号の送信は、図のような有線方式に限らず、電池を電源として作動する無線方式のものでもよい。また、シャッターカーテン２の下端部に障害物の接触で移動する座板スイッチを設け、障害物接触時の座板の移動力でガイドレールの高さ方向に沿って設けられたテープスイッチを押圧する構成としたり、テープスイッチから制御手段に対し感知信号を有線出力する構成としてもよい。この他、開口部に光電管やＬＥＤ等の投受光センサを設けたり、画像認識等により障害物を非接触で感知する構成としてもよい。
【００１８】
図２は、本発明の開閉体制御装置に係る制御装置８と、他の機器との接続関係の一例を示す図である。図から明かなように制御装置８は、７セグメント構成の表示器８１を備える。表示器８１は、通常のシャッター装置の制御状態を表示する通常モードと、各接続機器からの入力のチェック状態を表示する入力チェックモードと、異常発生時の状態を表示する異常状態表示モードの３種類の表示モードによって制御されるようになっている。この表示器８１の右隣には、表示器８１の表示モードを切り換えるモード切換スイッチ８２が設けられている。この切換スイッチ８２を操作することによって、表示器８１の表示内容すなわち表示モードを適宜選択することができる。表示切換スイッチ８３は、異常状態表示モードの表示内容を切り換えるためのスイッチである。
【００１９】
制御装置８には、モータ７、このモータ７に設けられたブレーキ７１、モータ７の減速機７２に設けられたリミットスイッチ７３、モータ７内のプロテクタ７４、障害物感知器１１、操作スイッチ９及びリモコンスイッチ受信機９０などが接続されている。制御装置８の左側には接続端子２１を介してリミットスイッチ７３が、接続端子２２を介してブレーキ７１が、接続端子２３を介してモータ内プロテクタ７４が、接続端子２４を介してモータ７がそれぞれ接続されている。制御装置８の右側には接続端子２５を介して障害物感知器１１が、接続端子２６を介して操作スイッチ９の電源端子が、接続端子２７を介して操作スイッチ９の各操作ボタン（開・閉・停ボタン）が、接続端子２８を介してリモコンスイッチ受信機９０の各ボタン（開・閉・停ボタン）がそれぞれ接続されている。
【００２０】
図３及び図４は、制御装置８に接続された各機器の入力チェックモード時における表示器８１の表示例を示す図である。図３は、制御装置８に接続された操作スイッチ９及びリモコンスイッチ受信機９０の状態を示す図であり、図４は、制御装置８に接続された障害物感知装置１１、リミットスイッチ７３及びモータ内プロテクタ７４の状態を示す図である。
【００２１】
操作スイッチ９の開ボタン９Ａが押圧された場合、すなわち開ボタン９Ａがオフの状態からオンの状態（ＯＦＦ→ＯＮ）に設定された場合には、７セグメントのうちの最上段のセグメントのみが点灯し、オンの状態からオフの状態（ＯＮ→ＯＦＦ）になった場合にはなにも表示されない。操作スイッチ９の閉ボタン９Ｃが押圧された場合、すなわち閉ボタン９Ｃがオフの状態からオンの状態（ＯＦＦ→ＯＮ）に設定された場合には、７セグメントのうちの最下段のセグメントのみが点灯し、オンの状態からオフの状態（ＯＮ→ＯＦＦ）になった場合にはなにも表示されない。操作スイッチ９の停ボタン９Ｂが押圧された場合、すなわち停ボタン９Ｂがオンの状態からオフの状態（ＯＮ→ＯＦＦ）に設定された場合には、７セグメントのうちの真ん中のセグメントのみが点灯し、オフの状態からオンの状態（ＯＦＦ→ＯＮ）になった場合にはなにも表示されない。上述の表示態様は、リモコンスイッチ受信機９０による開・閉・停の動作の場合も同じである。また、上述の表示例では、表示器８１の７セグメントのうち、上中下のセグメントを閉停閉に対応付けることによって、直感的に操作状態を認識し易いようにしている。
【００２２】
障害物感知装置１１が何も感知しないオフの状態から障害物を感知するオンの状態（ＯＦＦ→ＯＮ）になった場合には、表示器８１には数字の「１」が点灯表示され、逆に障害物を感知しているオンの状態から障害物を感知しないオフの状態（ＯＮ→ＯＦＦ）になった場合には表示器８１には数字の「２」が点灯表示される。シャッターカーテン２の上限リミットスイッチがオフの状態からオンの状態（ＯＦＦ→ＯＮ）になった場合には、表示器８１には数字の「３」が点灯表示され、逆にオンの状態からオフの状態（ＯＮ→ＯＦＦ）になった場合には表示器８１には数字の「４」が点灯表示される。シャッターカーテン２の下限リミットスイッチがオフの状態からオンの状態（ＯＦＦ→ＯＮ）になった場合には、表示器８１には数字の「５」が点灯表示され、逆にオンの状態からオフの状態（ＯＮ→ＯＦＦ）になった場合には表示器８１には数字の「６」が点灯表示される。モータ７のプロテクタがオフの状態からオンの状態（ＯＦＦ→ＯＮ）になった場合には、表示器８１には数字の「７」が点灯表示され、逆にオンの状態からオフの状態（ＯＮ→ＯＦＦ）になった場合には表示器８１には数字の「８」が点灯表示される。なお、プロテクタは、モータ７に設けられた加熱検出スイッチであり、モータ７が加熱した場合に電圧の供給を停止するものである。
【００２３】
このように、表示器８１の表示内容を制御装置８に接続された各機器の入力チェックモードにすることによって、各機器の接続状況を容易に把握することができるようになる。すなわち、従来は、開閉機取り付けの際に現場で結線調整作業を行うときや、使用中の機器のトラブルにより正常動作しなくなった時などに、開閉機の動作状態から不具合の発生している機器を推測し、機器の出力が正常か否かを、テスター等の機器を用いて一々確認する必要があったが、上述のように表示器８１を入力チェックモードにするだけで、開閉機（制御装置８）に、通常のシャッター制御機能以外に、接続されている機器の入力状態を表示することができる。また、接続されている機器にトラブルがあった場合、開閉機の動作状態から不具合箇所を推測する必要性がなくなり、各機器を順次動作させていくことで不具合箇所を特定することができる。さらに、テスター等がなくてもある程度のチェックが可能となるという利点がある。
【００２４】
図５は、制御装置８に接続された各機器の異常発生時の状態を表示する異常状態表示モードにおける表示器８１の表示例を示す図である。図５（Ａ）は、異常の種類を示す表示例を示す図であり、図５（Ｂ）は、その異常状態表示モードにおける異常の種類と、その時の動作回数等の表示例を示す図である。図５（Ａ）では、異常の種類として、プロテクタ作動と障害物検知の場合の２種類について言及しているが、これ以外にも種々の異常があるがここではその説明は省略する。異常の種類がプロテクタ作動の場合には「Ｅ１」の文字が表示器８１に「Ｅ」，「１」の順番で表示され、障害物検出の場合には「Ｅ２」の文字が表示器８１に「Ｅ」，「２」の順番で表示される。この場合、表示器８１には、「Ｅ」の文字が最初に表示され、その後に、「１」や「２」の文字が表示されるので、この時点でプロテクタ作動による異常なのか、障害物検出による異常なのかを認識することができるようになる。そして、表示切換スイッチ８３を操作することによって、その異常発生時の動作回数が順番に表示される。動作回数の表示は、６桁であり、上位桁から順番にその数値が表示される。図５（Ｂ）では「０」，「０」，「１」，「２」，「３」，「４」の順番に表示され、動作回数が「１２３４」回目であることを表示している。
【００２５】
次に、上述の異常状態表示モードの動作例を図６のフローチャートを用いて説明する。
［ステップＳ６１］
操作者が、表示器８１のモード切換スイッチ８２を異常状態表示モードに選択し、表示切換スイッチ８３を押圧する。
［ステップＳ６２］
プロテクタ作動による異常なのか、障害物検出による異常なのか、その異常の種類を示す文字を図５（Ａ）のように順次表示する。
【００２６】
［ステップＳ６３］
表示器８１の表示切換スイッチ８３を押圧する。
［ステップＳ６４］
現在表示中の異常が発生した時の動作回数を図５（Ｂ）のように順次表示する。
【００２７】
［ステップＳ６５］
全ての異常状態が表示されたか否かの判定を行い、表示された（ｙｅｓ）場合は次のステップＳ６６に進み、表示されていない（ｎｏ）場合はステップＳ６１にリターンし、次の異常について同様の表示処理を実行する。
［ステップＳ６６］
全ての異常状態の表示が終了したことを操作者に知らせるためにブザー等で報知する。
［ステップＳ６７］
表示処理を終了する。
【００２８】
このように異常が発生した場合に、その時のシャッター動作回数（トータルの動作回数）と異常の種類等を制御装置８に不揮発性メモリなどに記憶しておき、表示用のモード切換スイッチ８２を操作することによって、その記憶内容を読み出して過去数回分にわたる異常の種類とそのときのシャッター動作回数を表示することによって、過去に停止した場合が、自己復帰可能な異常かどうかを容易に判断することができると共に、自己復帰可能な異常を故障と誤認することがなくなるという効果がある。また、記憶内容に基づいて過去に開閉機がどのような使われ方をしたかなどを推測することも可能となる。
【００２９】
通常は、押しボタン用の接続端子が一箇所であり、複数の押しボタンを接続する場合には、この一箇所の接続端子に対して複雑な結線を行っているのが現状であった。この実施の形態では、２個の接続端子２７，２８を設け、２個の押しボタンを接続することができるように構成している。図７は、接続端子２７，２８の配線の関係を示す図である。図では、３個目の押しボタンを接続可能な接続端子２９が設けてある場合の一例が示してある。押しボタン９の開ボタン９Ａが開ボタン用の第４端子に、停ボタン９Ｂが停ボタン用の第３端子に、閉ボタン９Ｃが閉ボタン用の第２端子にそれぞれ接続され、各開・停・閉ボタンのアース側がアース用の第１端子に接続されている。リモコンスイッチ受信機９０も同様にそれぞれの開・停・閉ボタンがそれぞれ第１〜第３端子に接続されている。接続端子２７のアース用の第１端子と接続端子２８の停ボタン用の第３端子とがジャンパ線等で接続され、同じく接続端子２８のアース用の第１端子と接続端子２９の停ボタン用の第３端子とがジャンパ線等で接続されている。また、押しボタンの接続されない接続端子２９については、第１端子（アース端子）と第３端子（停ボタン用端子）とがジャンパ線等を介してアース線に短絡してある。以上のような配線にすることによって、結線ミスを少なくし、押しボタンを複数接続することができる。また、この実施の形態のように、端子をコネクタ化することで、電線の圧着作業等の手間が省くことができ、作業効率を向上させることができる。
【００３０】
上述の実施の形態では、表示切換スイッチ８３を押圧することで、異常種類の表示からその動作回数の表示に切り換わる場合について説明したが、異常の種類とその動作回数の表示を一連の流れてとして順次表示するようにしても良い。
【００３１】
上述の実施の形態では、シャッターカーテンが上方から下降方式で繰り出される場合について説明したが、逆に上昇方式で繰り出されたりするものであっても同様に適用することができる。さらに、シャッター状の開閉部材が横引き方式で繰り出されたり、あるいは水平方式で繰り出されたりするものであっても同様に適用することができる。開閉装置としては、例えば、シャッター装置、ブラインド装置、ロールスクリーン装置、垂れ幕装置、引戸装置、移動間仕切装置、オーニング装置、防水板装置などがある。また、開閉手段である開閉部材の材質は、使用目的に応じたものであれば、どのようなものでもよい。具体的には、金属製、木製、プラスチック製、布製、これらの複合されたものなどで構成することができる。
【００３２】
上述の実施の形態では、検出手段として座板スイッチを例に説明したが、この座板スイッチは障害物に当接することによって障害物を検出するものであるが、これ以外に非当接にて障害物を検出可能なものでもよい。例えば、非当接にて障害物を検出するものとして、開閉手段の両側に赤外光の発光素子と受光素子を設け、赤外光が遮断された場合に障害物を検出するようなものなどがある。また、検出手段は、シャッターカーテンの開閉位置を検出するものであったり、シャッターカーテン自身の温度を検出する熱感知器やシャッターカーテンの施錠、解錠状態を検出するものなどでもよい。
【図面の簡単な説明】
【００３３】
【図１】本発明の開閉体制御装置を備えたシャッター装置の概略構成を示す図である。
【図２】本発明の開閉体制御装置に係る制御装置と他の機器との接続関係の一例を示す図である。
【図３】制御装置に接続された操作スイッチ及びリモコンスイッチ受信機の入力チェックモード時における表示器の表示例を示す図である。
【図４】制御装置に接続された障害物感知装置、リミットスイッチ及びモータ内プロテクタの入力チェックモード時における表示器の表示例を示す図である。
【図５】制御装置に接続された各機器の異常発生時の状態を表示する異常状態表示モードにおける表示器の表示例を示す図である。
【図６】異常状態表示モードの動作例を示すフローチャート図である。
【図７】制御装置の接続端子の配線の関係を示す図である。
【符号の説明】
【００３４】
１…シャッターケース
２…シャッターカーテン
２１〜２８…接続端子
３，４…ガイドレール
５…巻取シャフト
６…チェーン
７…モータ
７１…ブレーキ
７２…減速機
７３…リミットスイッチ
７４…プロテクタ
８…制御装置
８１…表示器
８２…モード切換スイッチ
８３…表示切換スイッチ
９…操作スイッチ
９Ａ…上昇ボタン
９Ｂ…停止ボタン
９Ｃ…下降ボタン
９０…リモコンスイッチ受信機
【図１】
2005127107.tif 000003
【図２】
2005127107.tif 000004
【図３】
2005127107.tif 000005
【図４】
2005127107.tif 000006
【図５】
2005127107.tif 000007
【図６】
2005127107.tif 000008
【図７】
2005127107.tif 000009